Podtech/llm-jp-corpus-v4-ja_patent huggingface dataset:
【手続補正書】
【提出日】平成29年11月10日(2017.11.10)
【手続補正１】
【補正対象書類名】明細書
【補正対象項目名】００１６
【補正方法】変更
【補正の内容】
【００１６】
本開示の第２の態様において、多量の溶融ガラスから延伸されたガラスリボンの形状を決定する方法が、校正データを取得するステップ（Ｉ）、及び対象構造体に関する対象データを取得するステップ（ＩＩ）を有している。本方法は、対象データから、対象構造体のフィーチャーを表す、対象線を規定するステップ（ＩＩＩ）、及びガラスリボンにおける、対象構造体の反射像を捕捉するステップ（ＩＶ）を更に有している。本方法は、反射像から反射データを取得するステップ（Ｖ）、及び反射データから、対象構造体のフィーチャーの反射を表す、反射線を規定するステップ（ＶＩ）を更に有している。本方法は、対象線と反射線との対応関係を決定するステップ（ＶＩＩ）、及び対応関係と校正データを用いて、ガラスリボンの形状を決定するステップ（ＶＩＩＩ）も有している。
【手続補正２】
【補正対象書類名】特許請求の範囲
【補正対象項目名】全文
【補正方法】変更
【補正の内容】
【特許請求の範囲】
【請求項１】
実質的に柱面を成す鏡面反射面の形状を決定するための方法であって、
（Ｉ）校正データを取得するステップ、
（ＩＩ）対象構造体に関する対象データを取得するステップ、
（ＩＩＩ）前記対象データから、前記対象構造体のフィーチャーを表す、対象線を規定するステップ、
（ＩＶ）前記鏡面反射面における、前記対象構造体の反射像を捕捉するステップ、
（Ｖ）前記反射像から反射データを取得するステップ、
（ＶＩ）前記反射データから、前記対象構造体の前記フィーチャーの反射を表す、反射線を規定するステップ、
（ＶＩＩ）前記対象線と前記反射線との対応関係を決定するステップ、及び
（ＶＩＩＩ）前記対応関係と前記校正データを用いて、前記鏡面反射面の前記形状を決定するステップ
を有して成ることを特徴とする方法。
【請求項２】
前記対象構造体の前記フィーチャーが、該対象構造体のエッジであることを特徴とする、請求項１記載の方法。
【請求項３】
前記鏡面反射面が平面に沿って延び、前記対象構造体のフィーチャーが、前記平面に対して実質的に平行であることを特徴とする、請求項１または２記載の方法。
【請求項４】
前記鏡面反射面が、素材板の主面を備えて成ることを特徴とする、請求項１〜３いずれか１項記載の方法。
【請求項５】
前記形状によって、前記鏡面反射面の断面プロファイルが近似されることを特徴とする、請求項１〜４いずれか１項記載の方法。
【請求項６】
多量の溶融ガラスから延伸されたガラスリボンの形状を決定する方法であって、
（Ｉ）校正データを取得するステップ、
（ＩＩ）対象構造体に関する対象データを取得するステップ、
（ＩＩＩ）前記対象データから、前記対象構造体のフィーチャーを表す、対象線を規定するステップ、
（ＩＶ）前記ガラスリボンにおける、前記対象構造体の反射像を捕捉するステップ、
（Ｖ）前記反射像から反射データを取得するステップ、
（ＶＩ）前記反射データから、前記対象構造体の前記フィーチャーの反射を表す、反射線を規定するステップ、
（ＶＩＩ）前記対象線と前記反射線との対応関係を決定するステップ、及び
（ＶＩＩＩ）前記対応関係と前記校正データを用いて、前記ガラスリボンの前記形状を決定するステップ
を有して成ることを特徴とする方法。
【請求項７】
前記ガラスリボンが、延伸方向に連続的に移動することを特徴とする、請求項６記載の方法。
【請求項８】
前記形状を用いて、ガラス成形方法の上流パラメータが制御されることを特徴とする、請求項６又は７記載の方法。
【請求項９】
前記形状を用いて、下流工程のパラメータが制御されることを特徴とする、請求項６〜８いずれか１項記載の方法。
【請求項１０】
前記形状を用いて、前記ガラスリボンの属性が決定され、該属性に基づいて、前記ガラスリボンの品質が分類されることを特徴とする、請求項６〜９いずれか１項記載の方法。
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
一般的皮膚症、皮膚腫瘍および乾癬の治療における局所適用のために、ヒトおよび動物における医薬、化粧品および薬用化粧品分野で用いられるべきダフネ・ラウレオラ抽出物。
【請求項２】
皮膚症が、慢性皮膚炎、アトピー性皮膚炎、接触性皮膚炎、脂漏性皮膚炎、非特異的皮膚炎、時折の皮膚炎、ふけ症から選ばれる、請求項１に記載の抽出物。
【請求項３】
乾癬が、尋常性乾癬、滴状乾癬、膿疱性乾癬、紅皮症乾癬、脂漏性乾癬、石綿状癬から選ばれる、請求項１に記載の抽出物。
【請求項４】
皮膚腫瘍が、メラノーマ、基底細胞ガン、有棘または扁平上皮細胞ガン、光線角化症から選ばれる、請求項１に記載の抽出物。
【請求項５】
生ものおよび乾燥物の両方の、ダフネ・ラウレオラ植物の花、果実、葉、茎および根のからの液体、半固体または無水形態である、請求項１〜４のいずれかに記載の抽出物。
【請求項６】
ダフネ・ラウレオラの抽出物ならびに1種以上の医薬的、化粧品的および薬用化粧品的に許容しうる成分を含む、医薬、化粧品および薬用化粧品組成物。
【請求項７】
医薬的、化粧品的および薬用化粧品的に許容しうる成分が、皮膚軟化剤、保湿剤、増粘剤、乳化剤、着色剤、界面活性剤、消毒剤、抗酸化剤、緩衝剤、艶消し剤、剥離剤、芳香剤など、精油、ビタミン、UVフィルター、コラーゲン、エラスチンおよびその混合物から選ばれる、請求項６に記載の医薬品、化粧品および薬用化粧品組成物。
【請求項８】
たとえば、ゲル、ローション、ミルク、エマルション、フォームなどの液体製剤；クリーム、軟膏、スティックなどなどの固体または半固体製剤として製剤された、請求項６〜７のいずれかに記載の組成物。
【請求項９】
シャンプー、クレンジングミルク、トニックウォーター、水性溶液、アルコール溶液、含水アルコール溶液、マスク、エマルション、水系ゲル、リポゲル、フェイスおよびボディオイル、薬用パッチとして製剤された、請求項６〜８のいずれかに記載の組成物。
【請求項１０】
一般的皮膚症、皮膚腫瘍および乾癬の治療における局所適用のために、ヒトおよび動物における医薬、化粧品および薬用化粧品分野で用いられるべき、請求項６〜９のいずれかに記載の組成物。
【請求項１１】
皮膚症が、慢性皮膚炎、アトピー性皮膚炎、接触性皮膚炎、脂漏性皮膚炎、非特異的皮膚炎、時折の皮膚炎、ふけ症から選ばれる、請求項１０に記載の組成物。
【請求項１２】
乾癬が、尋常性乾癬、滴状乾癬、膿疱性乾癬、紅皮症乾癬、脂漏性乾癬、石綿状癬から選ばれる、請求項１０に記載の組成物。
【請求項１３】
皮膚腫瘍が、メラノーマ、基底細胞ガン、有棘または扁平上皮細胞ガン、光線角化症から選ばれる、請求項１０に記載の組成物。
【請求項１４】
浸出液、煎出液、冷浸、パーコレーション、超音波および／またはマイクロウェーブによって補助された継続的攪拌下での抽出、超臨界流体を用いる抽出から選ばれる、ダフネ・ラウレオラから抽出物を得る方法。
【請求項１５】
抽出が、水、エタノール、グリセロール、プロパノール、ブタノール、アセトン、エチレン-，プロピレン-およびブチレン-グリコールなどのグリコール、酢酸エチル、ヘキサン、塩化メチレン、メタノール、エーテルおよびその混合物から選ばれる極性溶媒の存在下で行なわれる、請求項１４に記載の方法。
【請求項１６】
抽出に続いて、液体、半固体または無水抽出物が得られるまで、蒸発または凍結乾燥による濃縮が行なわれる、請求項１４〜１５のいずれかに記載の方法。
【請求項１７】
抽出が、生ものおよび乾燥物の両方の、ダフネ・ラウレオラ植物の花、果実、葉、茎および根から行なわれる、請求項１４〜１５のいずれかに記載の方法。
【請求項１８】
局所適用による一般的皮膚症、腫瘍および乾癬の治療のための、医薬、化粧品または薬用化粧品の製造におけるダフネ・ラウレオラのフィトコンプレックスまたは抽出物の使用。
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
成形部品を形成するように少なくとも１つの光学面を画定する金型内で光学材料を射出成形することと、
機械加工された光学面を含む機械加工された光学部品を形成するように前記成形部品を機械加工することとを備える、方法。
【請求項２】
さらに、光学接着剤を使用して前記機械加工された光学面に光学的に活性なフィルムを接着することを備える、請求項１に記載の方法。
【請求項３】
前記機械加工された光学部品を形成するように前記成形部品を機械加工することが、前記機械加工された光学部品において少なくとも１つの鋭角の内角を生成する、請求項１又は２に記載の方法。
【請求項４】
前記成形部品が前記成形部品の長軸まわりに軸対称であり、前記機械加工された光学部品が前記長軸まわりに軸対称でない、請求項１〜３のいずれか一項に記載の方法。
【請求項５】
前記機械加工された光学面を含む前記機械加工された光学部品を形成するように前記成形部品を機械加工することが、複数の機械加工された光学部品を形成するように前記成形部品を機械加工することを備え、前記複数の機械加工された光学部品のうちの少なくとも１つの機械加工された光学部品が機械加工された光学面を含み、前記複数の機械加工された光学部品のうちの少なくとも１つがゲート領域を含まない、請求項１〜４のいずれか一項に記載の方法。
【請求項６】
成形部品を形成するように少なくとも１つの光学面を画定する軸対称金型キャビティ内で光学材料を射出成形することと、
軸対称性を有しないプリズムを含む光学部品を形成するように前記成形部品を機械加工することとを備える、方法。
【請求項７】
前記軸対称金型キャビティが長軸を画定し、前記金型キャビティが前記長軸のまわりに軸対称である、請求項６に記載の方法。
【請求項８】
軸対称性を有しない前記光学部品を形成するように前記成形部品を機械加工することが、機械加工された光学面を形成し、光学接着剤を使用して前記機械加工された光学面に光学的に活性なフィルムを接着することをさらに備える、請求項６又は７に記載の方法。
【請求項９】
前記光学部品を形成するように前記成形部品を機械加工することが、前記光学部品において少なくとも１つの鋭角の内角を生成する、請求項６〜８のいずれか一項に記載の方法。
【手続補正書】
【提出日】平成29年9月21日(2017.9.21)
【手続補正１】
【補正対象書類名】明細書
【補正対象項目名】０００６
【補正方法】変更
【補正の内容】
【０００６】
本発明の別の態様によれば、シフタ装置を動作させるための方法は、トランスミッションコントローラの第１の動作モードおよび第２の動作モードにそれぞれ対応する第１の角度位置と第２の角度位置との間で回転可能な選択ノブを用意することを含む。その方法はまた、トランスミッションコントローラが、第２の動作モードに移るための条件が存在する場合に、選択ノブを第１の角度位置から第２の角度位置まで自動で回転させるステップを含む。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
ブラウザ（ＷＢ）を用いたウェブページの処理中に、前記ウェブページのソースコードによって待ち行列中の処理タスク（ＱＰＴ）の実行の開始を遅延させるように設定された時間を減じるステップを含み、前記時間を減じるステップは、
関連付けられた遅延を有する待ち行列中の処理タスク（ＱＰＴ）の生成を生じさせる、前記ウェブページの処理中に発生する予め定められた処理イベントを、前記ブラウザ（ＷＢ）が追跡するステップと、
前記ブラウザが遅延変換器（ＤＣ）を呼出して、前記関連付けられた遅延を、絶対デクリメント、相対デクリメント、および比例デクリメントのうちの１つ以上によって変更するステップとを含む、方法。
【請求項２】
前記待ち行列中の処理タスク（ＱＰＴ）は、
１つ以上のタイマタスク、
１つ以上の非同期ＸＭＬ  Ｈｔｔｐ要求タスク、
１つ以上のスケジュールされたリダイレクトタスク、
１つ以上のカスケードスタイルシート遷移タスク、
１つ以上の待ち行列中スクリプトタスク、および
１つ以上のディファードイベントタスク、
のうちの１つ以上を含む、請求項１に記載の方法。
【請求項３】
待ち行列中の２つ以上の処理タスクの減じられた遅延時間を、前記ウェブページのソースコードによって定められたのと同じ順序で前記処理タスクが実行されるように、管理するステップをさらに含む、請求項１に記載の方法。
【請求項４】
状態判定器（ＳＤ）における１つ以上のパラメータ（Ｐ１...Ｐｎ）を設定するステップをさらに含み、前記１つ以上のパラメータは各々、待ち行列中の１つ以上の処理タスク（ＱＰＴ）に関連する予め定められた１つ以上の処理イベントに少なくとも一部基づいており、
予め定められた１つ以上の基準に従い前記１つ以上のパラメータ（Ｐ１...Ｐｎ）に少なくとも一部基づいて、ブラウザ（ＷＢ）のウェブページ処理状態（ＷＰＰＳ）を判定するステップをさらに含む、請求項１に記載の方法。
【請求項５】
前記予め定められた１つ以上の処理イベントを追跡するステップを含む、請求項４に記載の方法。
【請求項６】
前記予め定められた１つ以上の処理イベントを追跡する前記ステップは、前記状態判定器における１つ以上のパラメータを設定する前記ステップが、関連するオブジェクト情報とともに予め定められた処理イベントの発生に従って、実行されることを含む、請求項４に記載の方法。
【請求項７】
前記待ち行列中の１つ以上の処理タスク（ＱＰＴ）は、
１つ以上のタイマタスク、
１つ以上の非同期ＸＭＬ  Ｈｔｔｐ要求タスク、
１つ以上のスケジュールされたリダイレクトタスク、
１つ以上のカスケードスタイルシート遷移タスク、
１つ以上の待ち行列中スクリプトタスク、および
１つ以上のディファードイベントタスク、
のうちの１つ以上を含む、請求項４に記載の方法。
【請求項８】
ウェブロボット（ＷＲ）を前記ウェブページ処理状態（ＷＰＰＳ）に通信可能に結合するステップをさらに含む、請求項４に記載の方法。
【請求項９】
前記待ち行列中の１つ以上の処理タスク（ＱＰＴ）のうちの１つ以上と関連付けられた１つ以上の遅延を減じるステップをさらに含み、
前記１つ以上のパラメータ（Ｐ１...Ｐｎ）に基づいて前記ウェブページ処理状態（ＷＰＰＳ）を判定する前記ステップは、前記パラメータのうちの１つ以上によって表わされる待ち行列中の処理タスクに関連する予め定められた処理イベントのウェブページ処理状態との関連性を考慮することを含む、請求項４に記載の方法。
【請求項１０】
前記予め定められた１つ以上の基準のうちの少なくとも１つの基準は、前記１つ以上のパラメータのうちの１つ以上の評価に使用し得る、請求項４に記載の方法。
【請求項１１】
前記予め定められた１つ以上の基準は、
１つ以上のさらに他の待ち行列中のタスクの存在、
しきい値を超える、前記さらに他の待ち行列中のタスクの数、
しきい値を超える、タイマイベントのチェーン、ＸＭＬ  Ｈｔｔｐ要求のチェーン、またはその他の非同期タスクのチェーンの長さ、
タイムアウト値を超える、ＸＭＬ  Ｈｔｔｐ要求のディスパッチ以来の非応答の期間、
しきい値を超える、ウェブページのリダイレクトまたはリフレッシュについてスケジュールされた時間、
しきい値を超える、インターバルタイマの繰返しの数、および、
しきい値を超える、タイマイベントに対して設定された時間、
のうちの１つ以上を含む、請求項４に記載の方法。
【請求項１２】
前記ブラウザ（ＷＢ）に対してウェブページを処理することを要求するステップをさらに含み、前記要求はウェブロボット（ＷＲ）を用いて出され、前記待ち行列中の処理タスク（ＱＰＴ）は、前記ブラウザ（ＷＢ）による前記ウェブページの処理中に確立され、
前記ウェブページ処理状態（ＷＰＰＳ）が予め定められた完了値に達したことがわかった後に前記情報を検索するステップを含み、前記検索するステップは、少なくとも部分的に前記ウェブロボットを用いて実行され、
前記ブラウザ（ＷＢ）の前記ウェブページ処理状態（ＷＰＰＳ）を判定する前記ステップは、少なくとも部分的に前記状態判定器（ＳＤ）を用いて実行される、請求項４に記載の方法。
【請求項１３】
前記待ち行列中の処理タスクのうちの１つ以上と関連付けられた１つ以上の遅延を減じるステップをさらに含む、請求項１２に記載の方法。
【請求項１４】
請求項１〜１３のいずれか一項に記載の動作を実行するように構成されたインストルメンテーションを備えるシステム。
【請求項１５】
請求項１〜１３のいずれか一項に記載の方法を実行するためのコンピュータ読取可能な命令を含むコンピュータプログラム。
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
基板を支持する方法であって、
基板をキャリア上で第１のチャッキング領域に位置決めするステップであって、前記キャリアが、前記第１のチャッキング領域を画定する第１の静電チャッキング電極アセンブリと、前記第１のチャッキング領域の周方向外側に配置される第２のチャッキング領域を画定する第２の静電チャッキング電極アセンブリとを有し、前記第１の静電チャッキング電極アセンブリと前記第２の静電チャッキング電極アセンブリが、前記キャリアの本体内に配置される、位置決めするステップと、
前記キャリアの前記第２のチャッキング領域上で前記基板の少なくとも一部分を覆ってマスクを位置決めするステップと、
前記基板を前記第１のチャッキング領域に静電チャックし、前記マスクを前記キャリアの前記第２のチャッキング領域に静電チャックするステップとを含み、
前記基板及び前記マスクは、前記キャリアと直接接触して配置される方法。
【請求項２】
前記基板およびマスクが静電チャックされた前記キャリアを処理チャンバ内へ移送するステップをさらに含む、請求項１に記載の方法。
【請求項３】
前記処理チャンバ内での処理中に、前記第１の静電チャッキング電極アセンブリ及び前記第２の静電チャッキング電極アセンブリの少なくとも一方が励磁されたままである、請求項２に記載の方法。
【請求項４】
前記第１の静電チャッキング電極アセンブリ及び前記第２の静電チャッキング電極アセンブリが独立して制御可能である、請求項１に記載の方法。
【請求項５】
基板を支持する方法であって、
基板をキャリア上で第１のチャッキング領域に位置決めするステップであって、前記キャリアが、前記第１のチャッキング領域を画定する第１の静電チャッキング電極アセンブリと、前記第１のチャッキング領域の周方向外側に配置される第２のチャッキング領域を画定する第２の静電チャッキング電極アセンブリとを有し、前記第１の静電チャッキング電極アセンブリと前記第２の静電チャッキング電極アセンブリが、前記キャリアの本体内に配置される、位置決めするステップと、
前記第１の静電チャッキング電極アセンブリを励磁して、前記基板を前記第１のチャッキング領域で前記キャリアと直接接触して固定するステップと、
前記キャリアの前記第２のチャッキング領域上で前記基板の少なくとも一部分を覆ってマスクを位置決めするステップと、
前記第２の静電チャッキング電極アセンブリを励磁して、前記マスクを前記第２のチャッキング領域で前記キャリアと直接接触して固定するステップとを含む方法。
【請求項６】
前記基板およびマスクが配置された前記キャリアを処理チャンバ内へ移送するステップをさらに含む、請求項５に記載の方法。
【請求項７】
前記第１の静電チャッキング電極アセンブリおよび前記第２の静電チャッキング電極アセンブリが、独立して励磁される、請求項５に記載の方法。
【請求項８】
前記第１の静電チャッキング電極アセンブリおよび前記第２の静電チャッキング電極アセンブリが、単一の電源によって励磁される、請求項５に記載の方法。
【請求項９】
前記基板および前記マスクが、前記キャリアに順次チャックされる、請求項５に記載の方法。
【請求項１０】
基板キャリア装置であって、
頂面を有するキャリア本体と、
前記キャリア本体内に配置された交互配置された電極の第１の対を含む第１の電極アセンブリであって、前記頂面の第１の領域に対応する第１の電極アセンブリと、
前記キャリア本体内に配置された交互配置された電極の第２の対を含む第２の電極アセンブリであって、前記第１の電極アセンブリの周囲の外側でかつ外接して配置される第２の電極アセンブリとを備え、
前記第２の電極アセンブリは、前記頂面の第２の領域に対応する装置。
【請求項１１】
前記頂面の第１の領域が、前記頂面の第２の領域の下に配置される、請求項１０に記載の装置。
【請求項１２】
前記キャリア本体は、更に、絶縁ベースとカプセル化部材とを備えている請求項１０に記載の装置。
【請求項１３】
前記第１の電極アセンブリ及び前記第２の電極アセンブリは、前記絶縁ベースと前記カプセル化部材の間に配置される、請求項１２に記載の装置。
【請求項１４】
前記キャリア本体は、円形であり、前記第１の領域は、円形であり、前記第２の領域は、リング形状である請求項１０に記載の装置。
【請求項１５】
前記第２の領域の切れ目は、前記第１の領域から前記キャリア本体の端部へ交互配置された電極の前記第１の対の経路を許容する大きさである請求項１４に記載の装置。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
集積デバイスであって、
基板と、
前記基板を横断する複数のビアであって、前記複数のビアのうちの第１のビアは第１のビア寸法を有するビアと、
前記第１のビアの第１の端部に結合され、前記第１のビア寸法以下の第１のパッド寸法を有する第１のバンプパッドと、
前記基板上の複数の相互配線とを備え、
前記複数のビアは、共面であり、行および列に配置され、
前記複数のビアのうちの少なくとも１行のビアに関して、前記複数の相互配線のうちの唯一のそれぞれの相互配線が、前記行における各対のビア間に配置される集積デバイス。
【請求項２】
前記基板を横断し、第２のビア寸法を有する第２のビアと、
第２のビアの第２の端部に結合され、前記第２のビア寸法以下の第２のパッド寸法を有する第２のバンプパッドとをさらに備える、請求項１に記載の集積デバイス。
【請求項３】
前記第１のビアと前記第２のビアとの間のピッチは約８０ミクロン（μｍ）以下である、請求項２に記載の集積デバイス。
【請求項４】
前記第１のビアと前記第２のビアとの間のピッチは約１２５ミクロン（μｍ）以下である、請求項２に記載の集積デバイス。
【請求項５】
前記第１のバンプパッドは、ダイの相互配線に結合するように構成される、請求項１に記載の集積デバイス。
【請求項６】
前記第１のバンプパッドは、前記基板のダイ領域の縁部に隣接して位置する周辺バンプパッドである、請求項１に記載の集積デバイス。
【請求項７】
前記第１のバンプパッドは、ダイからの第１のバンプに結合するように構成される、請求項１に記載の集積デバイス。
【請求項８】
前記第１のバンプは、第１のアンダーバンプメタライゼーション（ＵＢＭ）層と、第１の相互配線ピラーと、第１のはんだボールとを含む、請求項７に記載の集積デバイス。
【請求項９】
前記基板が、少なくとも誘電体、ガラス、セラミック、および／またはシリコンのうちの１つを含む、請求項１に記載の集積デバイス。
【請求項１０】
前記集積デバイスは、音楽プレーヤ、ビデオプレーヤ、エンターテイメントユニット、ナビゲーションデバイス、通信デバイス、モバイルデバイス、モバイルフォン、スマートフォン、携帯情報端末、固定位置端末、タブレットコンピュータ、および／またはラップトップコンピュータのうちの少なくとも１つに組み込まれる、請求項１に記載の集積デバイス。
【請求項１１】
集積デバイスを作製するための方法であって、
基板を形成するステップと、
前記基板を横断する複数のビアを形成するステップであって、前記複数のビアのうちの第１のビアは第１のビア寸法を有するステップと、
前記第１のビアの第１の端部上に、前記第１のビアに結合されるように第１のバンプパッドを形成するステップであって、前記第１のバンプパッドは、前記第１のビア寸法以下の第１のパッド寸法を有するステップと、
前記基板上に複数の相互配線を形成するステップと、
前記複数のビアのうちの少なくとも１行のビアに関して、前記複数の相互配線のうちの唯一のそれぞれの相互配線が、前記行における各対のビア間に配置されるように前記複数のビアを行および列に配置するステップとを含み、
前記複数のビアは共面である方法。
【請求項１２】
前記基板を横断する第２のビアを形成するステップであって、前記第２のビアは第２のビア寸法を有するステップと、
前記第２のビアの第２の端部上に、前記第２のビアに結合されるように第２のバンプパッドを形成するステップであって、前記第２のバンプパッドは、前記第２のビア寸法以下の第２のパッド寸法を有するステップとをさらに含む、請求項１１に記載の方法。
【請求項１３】
前記第１のビアと前記第２のビアとの間のピッチは約８０ミクロン（μｍ）以下である、請求項１２に記載の方法。
【請求項１４】
前記第１のビアと前記第２のビアとの間のピッチは約１２５ミクロン（μｍ）以下である、請求項１２に記載の方法。
【請求項１５】
前記第１のバンプパッドは、ダイの相互配線に結合するように構成される、請求項１１に記載の方法。
【請求項１６】
前記第１のバンプパッドは、前記基板のダイ領域の縁部に隣接して位置する周辺バンプパッドである、請求項１１に記載の方法。
【請求項１７】
前記第１のバンプパッドは、ダイからの第１のバンプに結合するように構成される、請求項１１に記載の方法。
【請求項１８】
前記第１のバンプは、第１のアンダーバンプメタライゼーション（ＵＢＭ）層と、第１の相互配線ピラーと、第１のはんだボールとを含む、請求項１７に記載の方法。
【請求項１９】
前記基板は、少なくとも誘電体、ガラス、セラミック、および／またはシリコンのうちの１つを含む、請求項１１に記載の方法。
【請求項２０】
前記集積デバイスは、音楽プレーヤ、ビデオプレーヤ、エンターテイメントユニット、ナビゲーションデバイス、通信デバイス、モバイルデバイス、モバイルフォン、スマートフォン、携帯情報端末、固定位置端末、タブレットコンピュータ、および／またはラップトップコンピュータのうちの少なくとも１つに組み込まれる、請求項１１に記載の方法。
【請求項２１】
前記第１のビアは、前記第１のビア寸法の全体にわたって金属で充填される、請求項１に記載の集積デバイス。
【請求項２２】
前記第１のビア寸法の全体にわたって前記第１のビアを金属で充填するステップをさらに含む、請求項１１に記載の方法。
【請求項２３】
前記第１のパッド寸法は、パッド幅であり、前記第１のビア寸法は、ビア幅であり、前記第１のバンプパッドと前記第１のビアとの間の界面は、前記基板の表面と同一平面にある、請求項１に記載の集積デバイス。
【請求項２４】
前記第１のパッド寸法は、パッド幅であり、前記第１のビア寸法は、ビア幅であり、前記第１のバンプパッドと前記第１のビアとの間の界面は、前記基板の表面と同一平面にある、請求項１１に記載の方法。
【請求項２５】
前記複数の相互配線は、それぞれのトレースに結合された追加のバンプパッドを含む、請求項１に記載の集積デバイス。
【請求項２６】
前記複数の相互配線は、それぞれのトレースに結合された追加のバンプパッドを含む、請求項１１に記載の方法。
【請求項２７】
前記複数のビアのうちの少なくとも列のビアに関して、前記複数の相互配線のうちの唯一のそれぞれの相互配線が、前記列における各対のビア間に配置される、請求項１に記載の集積デバイス。
【請求項２８】
前記複数のビアのうちの少なくとも列のビアに関して、前記複数の相互配線のうちの唯一のそれぞれの相互配線が、前記列における各対のビア間に配置される、請求項１１に記載の方法。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
高温電気化学エネルギー貯蔵デバイスであって：
ａ．反応性金属および／または溶融塩を含む容器；および
ｂ．前記容器の外部環境から前記容器をシールするシール
を含むデバイスであって、
前記シールは：
ｉ．前記反応性金属および／または溶融塩に曝されるセラミック材料であって、少なくとも１００℃の温度で前記反応性金属および／または溶融塩に対して化学的に耐性があるセラミック材料；
ｉｉ．前記セラミック材料に隣接した金属カラー；および
ｉｉｉ．前記セラミック材料と前記金属カラーおよび前記容器の少なくとも１つとの間に配設された活性金属ブレイズであって、前記セラミック材料を化学的に還元する少なくとも１つの金属を含む活性金属ブレイズ
を含み、
前記反応性金属がカルシウムを含むか、又は、前記活性金属ブレイズが銀、アルミニウム又は銀とアルミニウムの混合物を含む、デバイス。
【請求項２】
前記セラミック材料が窒化アルミニウム（ＡｌＮ）を含む、請求項１に記載のデバイス。
【請求項３】
前記金属カラーがステンレススチールまたはジルコニウムから形成される、請求項１に記載のデバイス。
【請求項４】
前記活性金属ブレイズが合金であり、前記セラミック材料を化学的に還元する金属がチタン（Ｔｉ）またはジルコニウム（Ｚｒ）である、請求項１に記載のデバイス。
【請求項５】
前記デバイスが液体金属バッテリである、請求項１に記載のデバイス。
【請求項６】
前記反応性金属がアルカリ金属またはアルカリ土類金属である、請求項１に記載のデバイス。
【請求項７】
前記反応性金属が、マグネシウム（Ｍｇ）、カルシウム（Ｃａ）、ナトリウム（Ｎａ）、バリウム（Ｂａ）、カリウム（Ｋ）、リチウム（Ｌｉ）、またはこれらのいずれかの組み合わせである、請求項１に記載のデバイス。
【請求項８】
前記反応性金属が金属蒸気または液体金属である、請求項１に記載のデバイス。
【請求項９】
前記溶融塩が蒸気または液体である、請求項１に記載のデバイス。
【請求項１０】
前記シールが、少なくとも約３５０℃の温度にてリチウム蒸気に対して化学的に耐性がある、請求項１に記載のデバイス。
【請求項１１】
前記シールが、少なくとも約３５０℃の温度にてカルシウム蒸気に対して化学的に耐性がある、請求項１に記載のデバイス。
【請求項１２】
前記シールが、電気伝導性フィードスルー、熱電対、または前記容器に連結された電圧センサを取り囲む、請求項１に記載のデバイス。
【請求項１３】
前記シールが、前記容器および／または前記電気伝導性フィードスルーに接合される、請求項１２に記載の電気化学セル。
【請求項１４】
前記シールが、前記容器から前記電気伝導性フィードスルーを電気的に隔離する、請求項１２に記載の電気化学セル。
【請求項１５】
前記シールの熱膨張係数（ＣＴＥ）が、前記容器および／または前記電気伝導性フィードスルーのＣＴＥとは１０％未満で異なる、請求項１２に記載のデバイス。
【請求項１６】
前記シールにわたるインピーダンスが、前記温度において少なくとも約１キロＯｈｍである、請求項１に記載のデバイス。
【請求項１７】
前記セラミック材料が電気的に隔離しており、前記セラミック材料および前記反応性金属が共通元素を含み、前記反応性金属が前記共通元素を含む第１の化合物を含み、前記セラミック材料が前記反応性金属の第１の化合物のΔＧｒ，ｎよりも負である規格化生成ギブス自由エネルギー（ΔＧｒ，ｎ）を有する、請求項１に記載のデバイス。
【請求項１８】
前記活性金属ブレイズが前記共通元素を含む第２の化合物を含み、前記活性金属ブレイズの第２の化合物のΔＧｒ，ｎは前記セラミック材料のΔＧｒ，ｎよりも負である、請求項１７に記載のデバイス。
【請求項１９】
前記共通元素が、窒素、酸素または硫黄である、請求項１７または１８に記載のデバイス。
【請求項２０】
前記セラミック材料が窒化アルミニウム（ＡｌＮ）を含み、前記ブレイズ材料がチタン（Ｔｉ）を含む、請求項１に記載のデバイス。
【請求項２１】
前記シールが、前記デバイスを密封シールする、請求項１に記載のデバイス。
【請求項２２】
前記反応性金属および／または溶融塩が前記温度である場合、前記シールが、前記デバイスと接触する雰囲気に対して不活性である、請求項１に記載のデバイス。
【請求項２３】
前記シールが、第１の金属カラーおよび第２の金属カラーを含む、請求項１に記載のデバイス。
【請求項２４】
前記第１の金属カラーが、前記セラミック材料に接合される、請求項２３に記載のデバイス。
【請求項２５】
前記第１の金属カラーが、ブレイズまたは溶接によって、前記第２の金属カラーに接合され、および／または前記第２の金属カラーが、ブレイズまたは溶接によって、前記容器に接合される、請求項２３に記載のデバイス。
【請求項２６】
前記シールが、前記セラミック材料に接合された第３の金属カラーを含む、請求項２３に記載のデバイス。
【請求項２７】
前記第３の金属カラーが、ブレイズまたは溶接によって、電気伝導性フィードスルーに接合される、請求項２６に記載のデバイス。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
電子デバイスのためのタッチセンサ式ディスプレイシステムであって、
タッチ感知面を備えるタッチセンサ式ディスプレイと、
アプリケーションからのコンテキスト情報を、少なくとも前記アプリケーションの開始および前記アプリケーションの状態変化の間に受信することと、
前記アプリケーションからのコンテキスト情報に基づいて、複数の領域を決定することと、前記複数の領域が、前記タッチ感知面にマッピングされる、
前記コンテキスト情報に基づいて、前記複数の領域の各々に関して予期されるタッチスクリーン入力方法を決定することと、前記予期されるタッチスクリーン入力方法が、粗い入力方法および微の入力方法のうちの１つである、
前記微の入力方法に関する前記タッチセンサ式ディスプレイの精度およびサービス品質（ＱｏＳ）が、前記粗い入力に関する前記タッチセンサ式ディスプレイの前記精度およびＱｏＳよりも高くなるように、前記予期されるタッチスクリーン入力方法に基づいて、前記タッチ感知面の前記複数の領域の各々に関するスキャン感度および分解能感度のうちの１つまたは複数を調整することと、
を行うように構成された制御モジュールと、
を備える、タッチセンサ式ディスプレイシステム。
【請求項２】
前記予期されるタッチスクリーン入力方法は、平均的な人間の指およびタッチペンのうちの１つである、請求項１に記載のシステム。
【請求項３】
前記制御モジュールは、アクティブな領域および非アクティブな領域に前記タッチセンサ式ディスプレイを区別化するようにさらに構成される、請求項１に記載のシステム。
【請求項４】
前記アクティブな領域が動的に更新される、請求項３に記載のシステム。
【請求項５】
前記制御モジュールは、前記タッチセンサ式ディスプレイの前記非アクティブな領域をスキャンしないようにさらに構成される、請求項３に記載のシステム。
【請求項６】
前記予期される入力領域は、前記電子デバイスの使用モードに依存する、請求項１に記載のシステム。
【請求項７】
前記予期される入力領域を含む前記タッチ感知面の一部分の前記感度は調整され、前記タッチ感知面の別の部分の前記感度は調整されない、請求項１に記載のシステム。
【請求項８】
メモリユニットをさらに備え、前記メモリユニットが、コンテキスト情報を格納するように構成され、前記制御モジュールが、前記格納されたコンテキスト情報を、それ自体のコンテキスト情報を提供しないレガシアプリケーションに割り当てるようにさらに構成される、請求項１に記載のシステム。
【請求項９】
タッチ感知デバイスのエネルギー効率を向上させるための方法であって、
アプリケーションからのコンテキスト情報を、少なくとも前記アプリケーションの開始および前記アプリケーションの状態変化の間に受信することと、
前記アプリケーションからのコンテキスト情報に基づいて、複数の領域を決定することと、前記複数の領域が、タッチ感知面にマッピングされる、
前記コンテキスト情報に基づいて、前記複数の領域の各々に関して予期されるタッチスクリーン入力方法を決定することと、前記予期されるタッチスクリーン入力方法が、粗い入力方法および微の入力方法のうちの１つである、
前記微の入力方法に関する前記タッチ感知デバイスの精度およびサービス品質（ＱｏＳ）が、前記粗い入力方法に関する前記タッチ感知デバイスの前記精度およびサービス品質（ＱｏＳ）よりも高くなるように、前記予期されるタッチスクリーン入力方法に基づいて、前記タッチ感知面の前記複数の領域の各々に関するスキャン感度および分解能感度のうちの１つまたは複数を動的に調整することと、
を備える、方法。
【請求項１０】
前記予期されるタッチスクリーン入力方法は、平均的な人間の指およびタッチペンのうちの１つである、請求項９に記載の方法。
【請求項１１】
タッチ感知面の感度を調整することは、前記タッチ感知デバイス上の異なる関心領域で実行されうる、請求項９に記載の方法。
【請求項１２】
命令を備える非一時的なコンピュータ可読媒体であって、
前記命令は、実行されたときに、
アプリケーションからのコンテキスト情報を、少なくとも前記アプリケーションの開始および前記アプリケーションの状態変化の間に受信することと、
前記アプリケーションからのコンテキスト情報に基づいて、複数の領域を決定することと、前記複数の領域が、タッチ感知面にマッピングされる、
前記コンテキスト情報に基づいて、前記複数の領域の各々に関して予期されるタッチスクリーン入力方法を決定することと、前記予期されるタッチスクリーン入力方法が、粗い入力方法および微の入力方法のうちの１つである、
前記微の入力方法に関する前記タッチ感知面の精度およびサービス品質（ＱｏＳ）が、前記粗い入力方法に関する前記タッチ感知面の前記精度およびサービス品質（ＱｏＳ）よりも高くなるように、前記予期されるタッチスクリーン入力方法に基づいて、前記タッチ感知面の前記複数の領域の各々に関するスキャン感度および分解能感度のうちの１つまたは複数を動的に調整することと、
の方法をプロセッサに実行させる、非一時的なコンピュータ可読媒体。
【請求項１３】
タッチセンサ式デバイスのアクティブな領域および非アクティブな領域を決定することをさらに備える、請求項１２に記載の非一時的なコンピュータ可読媒体。
【請求項１４】
前記タッチセンサ式デバイスの前記アクティブな領域および前記非アクティブな領域に適用される感度を調整することをさらに備える、請求項１３に記載の非一時的なコンピュータ可読媒体。
【請求項１５】
前記タッチセンサ式デバイスの前記非アクティブな領域がスキャンされない、請求項１４に記載の非一時的なコンピュータ可読媒体。
【請求項１６】
前記予期されるタッチスクリーン入力方法は、平均的な人間の指およびタッチペンのうちの１つである、請求項１２に記載の非一時的なコンピュータ可読媒体。
【請求項１７】
エネルギー効率の優れたタッチ処理のための装置であって、
タッチ感知面を備えるタッチセンサ式ディスプレイと、
アプリケーションからのコンテキスト情報を、少なくとも前記アプリケーションの開始および前記アプリケーションの状態変化の間に受信するための手段と、
前記アプリケーションからのコンテキスト情報に基づいて、複数の領域を決定するための手段と、前記複数の領域が、前記タッチ感知面にマッピングされる、
前記コンテキスト情報に基づいて、前記複数の領域の各々に関して予期されるタッチスクリーン入力方法を決定するための手段と、前記予期されるタッチスクリーン入力方法が、粗い入力方法および微の入力方法のうちの１つである、
前記微の入力方法に関する前記タッチセンサ式ディスプレイの精度およびサービス品質（ＱｏＳ）が、前記粗い入力に関する前記タッチセンサ式ディスプレイの前記精度およびサービス品質（ＱｏＳ）よりも高くなるように、前記予期されるタッチスクリーン入力方法に基づいて、前記タッチ感知面の前記複数の領域の各々に関するスキャン感度および分解能感度のうちの１つまたは複数を調整するための手段と、
を備える、装置。
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
化学反応生成物を形成するための渦巻き型電気化学電池であって、中心軸周りに巻き付けられた少なくとも１対の電極対を備え、前記少なくとも１対の電極対がアノード及びカソードであり、前記アノード及び前記カソードの一方又は両方が、ガス透過性且つ液体非透過性である、電気化学電池。
【請求項２】
前記電気化学電池が、電気合成電池又は電気エネルギー電池である、請求項１に記載の電気化学電池。
【請求項３】
前記電池が、非生物的に製造された化合物を利用している、請求項１又は２に記載の電気化学電池。
【請求項４】
前記アノードが、ガス拡散電極を備え、及び／又は
前記カソードが、ガス拡散電極を備え、
一つ又は複数の前記ガス拡散電極が、炭素及び／又はポリテトラフルオロエチレン（ＰＴＦＥ）から実質的に構成される、請求項１に記載の電気化学電池。
【請求項５】
ガス及び／又は流体輸送のために、前記アノードと前記カソードとの間に電極間流路をさらに備える、請求項１に記載の電気化学電池。
【請求項６】
２つのアノード並びにガス及び／又は流体輸送のための前記２つのアノード間のアノード流路をさらに備える、請求項１〜５のいずれか一項に記載の電気化学電池。
【請求項７】
２つのカソード並びにガス及び／又は流体輸送のための前記２つのカソード間のカソード流路をさらに備える、請求項１〜６のいずれか一項に記載の電気化学電池。
【請求項８】
前記流路が、少なくとも１つのスペーサによって少なくとも部分的に形成されている、請求項５に記載の電気化学電池。
【請求項９】
前記化学反応生成物又は化学反応物質が、前記流路を介して輸送される、請求項５に記載の電気化学電池。
【請求項１０】
液体電解質が、前記電極間流路を介して輸送される、請求項５に記載の電気化学電池。
【請求項１１】
アノード流路を含んでいるアノードリーフ、及び／又はカソード流路を含んでいるカソードリーフをさらに備え、電極間流路が、前記アノードリーフと前記カソードリーフとの間に設けられており、前記リーフ及び前記流路が、前記中心軸周りに渦巻き状に巻き付けられている、請求項１に記載の電気化学電池。
【請求項１２】
前記中心軸のところに又は付近に配置されているコア素子をさらに備える、請求項１〜１１のいずれか一項に記載の電気化学電池。
【請求項１３】
前記アノードリーフ及び前記カソードリーフが、コア素子の異なる外周位置のところで前記中心軸のところに又は付近に配置されている前記コア素子に取り付けられている、請求項１１に記載の電気化学電池。
【請求項１４】
前記コア素子が、少なくとも１つのガス流路及び／又は少なくとも１つの流体流路を含んでいる、請求項１２に記載の電気化学電池。
【請求項１５】
前記少なくとも１つのガス流路が、前記コア素子の中心から外れている、請求項１４に記載の電気化学電池。
【請求項１６】
前記少なくとも１つの流体流路が、前記コア素子の中心から外れている、請求項１４に記載の電気化学電池。
【請求項１７】
前記電極間流路が、前記中心軸のところに又は付近に配置されているコア素子とガス連通及び／又は流体連通しており、前記コア素子が、少なくとも１つのガス流路及び／又は少なくとも１つの流体流路を含んでいる、請求項５に記載の電気化学電池。
【請求項１８】
前記少なくとも１対の電極対のうちの１対又は複数対が、前記コア素子の導電性素子に電気的に接続されている、請求項１２〜１７のいずれか一項に記載の電気化学電池。
【請求項１９】
前記中心軸から離れて配置されている外部素子をさらに備え、前記外部素子が、前記中心軸の近くの端部とは反対であり、前記少なくとも１対の電極対のうちの１対又は複数対の端部に又は端部の近くに取り付けられている、請求項１〜１８のいずれか一項に記載の電気化学電池。
【請求項２０】
前記少なくとも１対の電極対のうちの１対又は複数対が、前記外部素子の導電性素子に電気的に接続されている、請求項１９に記載の電気化学電池。
【請求項２１】
前記コア素子が、前記中心軸に平行に長手方向に延びている、請求項１２に記載の電気化学電池。
【請求項２２】
前記外部素子が、前記中心軸に平行に長手方向に延びている、請求項１９に記載の電気化学電池。
【請求項２３】
前記導電性素子が、バスバーである、請求項１８又は２０に記載の電気化学電池。
【請求項２４】
１つ又は複数の副バスバーが、前記少なくとも１対の電極対のうちの１対又は複数対に電気的に接続されている、請求項１〜２３のいずれか一項に記載の電気化学電池。
【請求項２５】
前記１つ又は複数の副バスバーが、バスバーに電気的に接続されている、請求項２４に記載の電気化学電池。
【請求項２６】
前記１つ又は複数の副バスバーが、可撓性であり、前記電池内で渦巻き状に巻き付けられている、請求項２４に記載の電気化学電池。
【請求項２７】
前記１つ又は複数の副バスバーが、前記電池の軸方向に延びている、請求項２４に記載の電気化学電池。
【請求項２８】
前記アノードの濡れ圧力又は泡立ち点が、０．２バールを超えている、請求項１に記載の電気化学電池。
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
単一の可撓性ポリマ箔と、
素子用電極領域を有し、前記ポリマ箔の第１の側にある層としての可撓性導電パターン層と、
前記ポリマ箔を通って第１の側において第２の側から前記導電パターン層の電極領域まで延伸し、それぞれが前記導電パターンの少なくとも１つの電極領域に重なっている少なくとも１つの空洞と、
該少なくとも１つの空洞内にあって前記電極領域と電気的に接続された少なくとも１つの非有機発光ダイオードフリップチップとを含み、該非有機発光ダイオードフリップチップと前記空洞の壁の間の間隙が非導電性弾性材料で満たされ、さらに、
前記ポリマ箔の第２の側に層形成された機械的保護および導光用の第１の可撓性遮蔽箔を含むことを特徴とする可撓性発光膜構造体。
【請求項２】
請求項１に記載の膜構造体において、前記導電パターン層は、金属化されたポリマ構造体、および少なくとも１つの印刷可能な導電性インクに基づく導体のうちの少なくとも一方を含むことを特徴とする膜構造体。
【請求項３】
請求項１に記載の膜構造体において、前記膜構造体は、前記少なくとも１つの発光ダイオードチップと前記電極領域の間に導電性接着剤を含むことを特徴とする膜構造体。
【請求項４】
請求項１に記載の膜構造体において、前記膜構造体は、前記導電パターン層上に第２の可撓性遮蔽箔を含み、該導電パターン層が前記ポリマ箔と前記第２の遮蔽箔の間にあることを特徴とする膜構造体。
【請求項５】
請求項１に記載の膜構造体において、第１の遮蔽箔は、前記少なくとも１つの発光ダイオードチップ上に配置された発光箔を含むことを特徴とする膜構造体。
【請求項６】
素子用電極領域を有する可撓性導電パターン層をポリマ箔の第１の側に用意し、
前記ポリマ箔を通って第１の側において第２の側から前記導電パターン層の電極領域まで延伸する少なくとも１つの空洞を形成し、該空洞は、前記電極領域を露出させて、前記少なくとも１つの空洞を通って第２の側から素子の装着を行なうためのものであり、
少なくとも１つの非有機発光ダイオードフリップチップのそれぞれを前記少なくとも１つの空洞の空洞に配置し、
前記少なくとも１つの非有機発光ダイオードフリップチップを前記導電パターンの前記露出した電極領域へ電気的に接続し、
前記非有機発光ダイオードフリップチップと前記空洞の壁の間の間隙を非導電性弾性材料で満たし、
前記ポリマ箔の第２の側に機械的保護および導光用の第１の可撓性遮蔽箔を設けることを含むことを特徴とする可撓性発光膜構造体の製造方法。
【請求項７】
請求項６に記載の方法において、前記導電パターン層は、(1)金属化ポリマ構造体を前記ポリマ箔の第１の側に積層し、該金属化ポリマ構造体をパターン形成することと、(2)前記ポリマ箔の第１の側に少なくとも１つの導電性インクで導体を印刷することのうちの少なくとも一方を備えることを特徴とする方法。
【請求項８】
請求項６に記載の方法において、前記少なくとも１つの非有機発光ダイオードフリップチップを前記電極領域に電気的に接続することは、導電性接着剤を前記電極領域に施し、前記少なくとも１つの発光ダイオードチップを該電極領域に接合することによることを特徴とする方法。
【請求項９】
請求項６に記載の方法において、第２の可撓性遮蔽箔を前記導電パターン層に積層して、該導電パターン層が前記ポリマ箔と第２の遮蔽箔の間になるようにすることを特徴とする方法。
【請求項１０】
請求項６に記載の方法において、発光箔を前記少なくとも１つの発光ダイオードチップの上に積層することを特徴とする方法。
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
複数の行に配された発光デバイスのウエハを分離する方法であって、
前記ウエハを複数の領域に分割し、各領域が、複数行の発光デバイスを有し、第１の領域が、或る次元において、同じ次元の第２の領域の幅よりも広い幅を有し、
各領域に対し、第１及び第２のダイシングストリートの対の位置を決定し、前記複数の領域のうちの少なくとも１つの前記第１及び第２のダイシングストリートの対が平行でなく、
前記第１及び第２のダイシングストリートの対の前記位置を用いて、前記第１のダイシングストリートと前記第２のダイシングストリートとの間に順次パターンで配置される複数のダイシングストリートの位置を決定し、且つ
非順次パターンで前記複数のダイシングストリートに沿って前記ウエハをカットする、
ことを有する方法。
【請求項２】
前記第１の領域は、前記第２の領域よりも、前記ウエハの中心近くに置かれる、請求項１に記載の方法。
【請求項３】
前記第１及び第２のダイシングストリートの位置を決定することは、前記第１及び第２のダイシングストリートの各々について、前記ウエハ上の少なくとも２つの基準の位置を用いてベストフィットラインを決定することを有する、請求項１に記載の方法。
【請求項４】
前記第１のダイシングストリートは各領域の第１の境界線に配置され、前記第２のダイシングストリートは各領域の第２の境界線に配置され、前記第２の境界線は前記第１の境界線の反対側である、請求項１に記載の方法。
【請求項５】
前記第１及び第２のダイシングストリートの前記位置を用いて、前記第１のダイシングストリートと前記第２のダイシングストリートとの間に配置される複数のダイシングストリートの位置を決定することは、前記第１及び第２のダイシングストリートの、Ｙ軸上のＹ切片及び傾きを決定し、前記第１及び第２のダイシングストリートの前記Ｙ切片及び前記傾きを用いて、前記第１のダイシングストリートと前記第２のダイシングストリートとの間に配置される前記複数のダイシングストリートの前記位置を内挿することを有する、請求項１に記載の方法。
【請求項６】
各領域の前記幅が、該領域における前記ウエハの幅に相当する、請求項１に記載の方法。
【請求項７】
前記ウエハを複数の領域に分割することに先立って、前記発光デバイスから成長基板を除去する、ことを更に有する請求項１に記載の方法。
【請求項８】
前記第１のダイシングストリートと前記第２のダイシングストリートとの間に配置される複数のダイシングストリートの位置を決定することは、前記第１及び第２のダイシングストリートの前記位置に基づく内挿を含む、請求項１に記載の方法。
【請求項９】
前記第１の領域の前記第２のダイシングストリートは、前記第２の領域の前記第１のダイシングストリートに相当する、請求項１に記載の方法。
【請求項１０】
前記複数のダイシングストリートは、前記第１のダイシングストリートと前記第２のダイシングストリートとの間の第３のダイシングストリートと、前記第３のダイシングストリートと前記第２のダイシングストリートとの間の第４のダイシングストリートと、前記第４のダイシングストリートと前記第２のダイシングストリートとの間の第５のダイシングストリートとを含み、前記ウエハの前記カットは、前記第３のダイシングストリートに沿ったカット及び前記第５のダイシングストリートに沿ったカットの前に、前記第４のダイシングストリートに沿ったカットを含む、請求項１に記載の方法。
【請求項１１】
前記複数のダイシングストリートは、前記第１のダイシングストリートと前記第２のダイシングストリートとの間の第３及び第４のダイシングストリートを含み、当該方法は、前記第３のダイシングストリートに沿ったカットと前記第４のダイシングストリートに沿ったカットとの間に、前記ウエハのアライメントを調節することを含む、請求項１に記載の方法。
【請求項１２】
前記ウエハの前記カットは、前記複数のダイシングストリートに沿った前記ウエハのレーザスクライビングを含む、請求項１に記載の方法。
【請求項１３】
前記複数のダイシングストリートは、前記第１のダイシングストリートと前記第２のダイシングストリートとの間の第３のダイシングストリートを含み、前記ウエハの前記カットは、前記第３のダイシングストリートに沿って第１のスクライブをレーザスクライブし、前記第１のスクライブに基づいて前記ウエハのアライメントを調節し、そして、前記第３のダイシングストリートに沿って第２のスクライブをレーザスクライブすることを含む、請求項１に記載の方法。
【請求項１４】
前記第２のスクライブは、前記第１のスクライブよりも大きい、請求項１３に記載の方法。